(57)【要約】【課題】  室内空気を用いて酸素を発生させることで、快適な室内環境を組成できると共に、ユーザーが所望の位置に直接酸素を供給できる分離型空気調和機を提供する。【解決手段】  本発明による分離型空気調和機の一形態は、前面が開放されたキャビネットと、前記キャビネットの底面をなすベースと、前記キャビネットの前面に装着され、上部に空気吐出口が形成され、かつ下部に空気吸入口が形成される前面パネルと、前記ベースと一定の間隔離隔して装着される送風機と、前記送風機の上側に装着される熱交換機と、前記キャビネットの内部に装着され、室内空気を吸入して酸素を発生させる酸素発生器とを含めてなる。  また、本発明による空気調和機は、前記酸素発生器に着脱可能に連結され、所望の位置に直接酸素を供給する酸素供給部とを含めてなる。【選択図】  図２
2005024238.tif 000002
【特許請求の範囲】
【請求項１】
前面が開放されたキャビネットと、
前記キャビネットの底面をなすベースと、
前記キャビネットの前面に装着され、上部に空気吐出口が形成され、かつ下部に空気吸入口が形成される前面パネルと、
前記ベースと一定の間隔離隔して装着される送風機と、
前記送風機の上側に装着される熱交換機と、
前記キャビネットの内部に装着され、室内空気を吸入して酸素を発生させる酸素発生器とを備えた分離型空気調和機。
【請求項２】
前記酸素発生器は前記送風ファンの下側に装着されることを特徴とする請求項１記載の分離型空気調和機。
【請求項３】
前記酸素発生器はベースの上面に装着されることを特徴とする請求項１記載の分離型空気調和機。
【請求項４】
前記ベースの上面には突起が形成され、
前記酸素発生器の下部には前記突起と結合する締結孔が形成されることを特徴とする請求項３記載の分離型空気調和機。
【請求項５】
前記酸素発生器には発生した酸素を室内に案内する酸素案内部が連結されることを特徴とする請求項１記載の分離型空気調和機。
【請求項６】
前記酸素案内部は、
前記酸素発生器に連結され、酸素を空気吐出口に案内する案内ホースと、
前記案内ホースに連結され、前記空気吐出口に固定されて酸素を室内に吐き出すノズル部とを備えたことを特徴とする請求項５記載の分離型空気調和機。
【請求項７】
前記案内ホースは、
前記酸素発生器に連結される第１ホース、前記ノズル部に連結される第２ホース、及び前記第１、２ホースの間に提供される消音器を備えたことを特徴とする請求項６記載の分離型空気調和機。
【請求項８】
前記酸素発生器には室内空気を吸入する空気吸入ホースと、室内空気から分離された窒素を室外に排出させる窒素排出ホースとがそれぞれ連結されることを特徴とする請求項１記載の分離型空気調和機。
【請求項９】
前記空気吸入ホースは、室内空気を直接吸入するためにキャビネットの外部に延長して形成されることを特徴とする請求項８記載の分離型空気調和機。
【請求項１０】
内部に送風機、及び熱交換機が装着されるキャビネットと、
前記キャビネットの前面に装着され、上部に空気吐出口が形成され、かつ下部に空気流入口が形成される前面パネルと、
前記キャビネットの内部に装着され、室内空気を吸入して酸素を発生させる酸素発生器と、
前記酸素発生器に着脱可能に連結され、所望の位置に直接酸素を供給する酸素供給部と
を備えたことを特徴とする分離型空気調和機。
【請求項１１】
前記酸素供給部は、
前記酸素発生器に連結される供給ホースと、
前記供給ホースに連結され、ユーザの頭に着用するヘッド部とを備えたことを特徴とする請求項１０記載の分離型空気調和機。
【請求項１２】
前記供給ホースには騒音防止のための消音器が装着されることを特徴とする請求項１１記載の分離型空気調和機。
【請求項１３】
前記ヘッド部にはユーザの呼吸器に直接酸素を供給する酸素吐出口が形成されることを特徴とする請求項１１記載の分離型空気調和機。
【請求項１４】
前記供給ホース、及びヘッド部は、多数のユーザに酸素を同時に供給できるように複数個が形成されることを特徴とする請求項１１記載の分離型空気調和機。
【請求項１５】
前記酸素供給部は、
前記酸素発生器に連結される供給ホースと、
前記供給ホースに連結され、壁面に取り付けられるハンガとを備えたことを特徴とする請求項１０記載の分離型空気調和機。
【請求項１６】
前記酸素発生器には発生した酸素を室内に案内する酸素案内部が連結され、
前記酸素供給部は、前記酸素案内部に着脱可能に連結されることを特徴とする請求項１０記載の分離型空気調和機。
【請求項１７】
前記酸素案内部は、
前記酸素発生器に連結され、酸素を空気吐出口に案内する案内ホースと、
前記案内ホースに連結され、前記空気吐出口に固定されて酸素を室内に吐き出すノズル部とを備えたことを特徴とする請求項１６記載の分離型空気調和機。
【請求項１８】
前記案内ホースは、
前記酸素発生器に連結される第１ホース、前記ノズル部に連結される第２ホース、及び前記第１、２ホースの間に装着される消音器を備えたことを特徴とする請求項１７記載の分離型空気調和機。
【請求項１９】
前記酸素供給部は、
前記酸素発生器に連結される供給ホースと、
前記供給ホースに連結され、ユーザの頭に着用するヘッド部とを備えたことを特徴とする請求項１７記載の分離型空気調和機。
【請求項２０】
前記供給ホースには騒音防止のための消音器が装着されることを特徴とする請求項１９記載の分離型空気調和機。
【発明の詳細な説明】
【技術分野】
【０００１】
本発明は空気調和機、特に分離型空気調和機に関する。
【背景技術】
【０００２】
空気調和機は、冷媒が相変化する時に周囲に熱を発散、或いは周囲の熱を吸収する性質を用いて室内空間を冷房、または暖房する機器をいう。
かかる空気調和機は、一般に室内機と室外機を含めてなるが、室内機と室外機とが一つに製作されたものを一体型空気調和機と呼び、それぞれ別途に製作されたものを分離型空気調和機と呼ぶ。
【０００３】
最近、室内空気の塵、及び異物質を除去する空気清浄器機能が付加されたり、酸素を発生させて室内空気を新鮮にする酸素発生機能が付加された空気調和機が使用されている実状にある。
【０００４】
図１は従来技術による分離型空気調和機を示す斜視図である。
図１に示すように、従来技術による分離型空気調和機は、室内機２、室外機１０、配管１２、酸素発生器２０、ホース３０を備える。  
室内機２と室外機１０は配管１２によって連結され、配管１２は、室内機２と室外機１０を循環し、室内空気を冷房、または暖房する冷媒の流動を案内する。
【０００５】
酸素発生器２０は室外機１０に装着され、室外空気を吸入して、室内機２に供給される酸素を発生させる。そして、ホース３０は、酸素発生器２０と室内機２とを連結させ、酸素発生器２０で発生した酸素を室内機２に案内する。
【０００６】
以下、このような従来技術による分離型空気調和機の動作を説明する。
【０００７】
まず、酸素発生器２０が室外空気を内部に吸入して酸素を発生させると、前記酸素はホース３０を介して室内機２の内部に案内される。
そして、室内機２が駆動すると、室内空気は空気吸入口３を介して室内機２の内部に吸入された後に熱交換され、空気吐出口４を介して室内に再び吐き出される。また、ホース３０を介して室内機２の内部に案内された酸素は、空気吐出口４を介して室内に吐き出される。
【発明の開示】
【発明が解決しようとする課題】
【０００８】
しかしながら、かかる従来技術による分離型空気調和機は次のような問題点がある。
【０００９】
第一に従来技術による分離型空気調和機は、前記酸素発生器が室外機に装着されるため、破損及び盗難のおそれがあり、また、室外空気を用いて酸素を発生させるため、室外の悪臭が酸素と共に室内に流入するという問題点があった。
第二に従来技術による分離型空気調和機は、酸素が熱交換された室内空気と同時に空気吐出口を介して供給されるので、ユーザが酸素のみを別に使うことが難しい。
【００１０】
そこで、本発明の目的は、室内空気を用いて酸素を発生させることで、快適な室内環境を組成することのできる分離型空気調和機を提供することにある。
【００１１】
また、他の目的はユーザが所望の位置に直接酸素を供給できる分離型空気調和機を提供することにある
【課題を解決するための手段】
【００１２】
上記目的を達成するため、本発明による分離型空気調和機の一形態は、前面が開放されたキャビネットと、前記キャビネットの底面をなすベースと、前記キャビネットの前面に装着され、上部に空気吐出口が形成され、かつ下部に空気吸入口が形成される前面パネルと、前記ベースと一定の間隔離隔して装着される送風機と、前記送風機の上側に装着される熱交換機と、前記キャビネットの内部に装着され、室内空気を吸入して酸素を発生させる酸素発生器とを備える。
【００１３】
ここで、前記酸素発生器は前記送風ファンの下側に装着されることが好ましく、特に前記酸素発生器はベースの上面に装着されることが好ましい。
【００１４】
このために、前記ベースの上面には突起が形成され、前記酸素発生器の下部には前記突起と結合する締結孔が形成される。
【００１５】
前記酸素発生器には発生した酸素を室内に案内する酸素案内部が連結される。
【００１６】
ここで、前記酸素案内部は、前記酸素発生器に連結され、酸素を空気吐出口に案内する案内ホースと、前記案内ホースに連結され、前記空気吐出口に固定されて酸素を室内に吐き出すノズル部とを備える。
【００１７】
また、前記案内ホースは、前記酸素発生器に連結される第１ホース、前記ノズル部に連結される第２ホース、及び前記第１、２ホースの間に提供される消音器を備える。
【００１８】
前記酸素発生器には室内空気を吸入する空気吸入ホースと、室内空気から分離された窒素を室外に排出させる窒素排出ホースとがそれぞれ連結される。ここで、前記空気吸入ホースは、室内空気を直接吸入するためにキャビネットの外部に延長して形成される。
【００１９】
一方、本発明による分離型空気調和機の他の一形態は、内部に送風機、及び熱交換機が装着されるキャビネットと、前記キャビネットの前面に装着され、上部に空気吐出口が形成され、かつ下部に空気流入口が形成される前面パネルと、前記キャビネットの内部に装着され、室内空気を吸入して酸素を発生させる酸素発生器と、前記酸素発生器に着脱可能に連結され、所望の位置に直接酸素を供給する酸素供給部とを備える。
【００２０】
ここで、前記酸素供給部は、前記酸素発生器に連結される供給ホースと、前記供給ホースに連結され、ユーザの頭に着用するヘッド部とを備える。
【００２１】
前記供給ホースには騒音防止のための消音器が装着され、前記ヘッド部にはユーザの呼吸器に直接酸素を供給する酸素吐出口が形成される。
【００２２】
また、前記供給ホース、及びヘッド部は、多数のユーザに酸素を同時に供給できるように複数個が形成されることが好ましい。
【００２３】
一方、前記酸素供給部は、前記酸素発生器に連結される供給ホースと、前記供給ホースに連結され、壁面に取り付けられるハンガとを備える。
【００２４】
また、前記酸素発生器には発生した酸素を室内に案内する酸素案内部が連結され、前記酸素供給部は、前記酸素案内部に着脱可能に連結される。
【００２５】
ここで、前記酸素案内部は、前記酸素発生器に連結され、酸素を空気吐出口に案内する案内ホースと、前記案内ホースに連結され、前記空気吐出口に固定されて酸素を室内に吐き出すノズル部とを備える。
【００２６】
前記案内ホースは、前記酸素発生器に連結される第１ホース、前記ノズル部に連結される第２ホース、及び前記第１、２ホースの間に装着される消音器を含めてなる。
【００２７】
前記酸素供給部は、前記酸素発生器に連結される供給ホースと、前記供給ホースに連結され、ユーザの頭に着用するヘッド部とを備える。
【００２８】
ここで、前記供給ホースには騒音防止のための消音器が装着される。
【発明の効果】
【００２９】
まず、本発明による分離型空気調和機は、キャビネットの内部に装着される酸素発生器が室内空気を吸入して酸素を発生させるため、室外の悪臭が室内に流入するおそれがなく、破損、または盗難のおそれもない。
第二、本発明による空気調和機は、酸素供給部を用いて酸素発生器で発生した酸素をユーザが直接吸入でき、ユーザが空気吐出口から遠く離れているか、或いは移動する場合にも酸素を集中的に吸入できるので、使用が便利である。
【発明を実施するための最良の形態】
【００３０】
以下、本発明による分離型空気調和機の実施形態について、添付図面に基づいて詳細に説明する。
【００３１】
図２は本発明の第１実施形態による分離型空気調和機を示す分解斜視図である。
本発明の第１実施形態による分離型空気調和機は、図２に示すように、前面が開放されたキャビネット６０と、このキャビネット６０の底面をなすベース５０と、キャビネット６０の前面に装着され、上部に空気吐出口６４が形成され、かつ下部に空気吸入口６２が形成される前面パネル７０と、ベース５０と一定の間隔離隔して装着される送風機８０と、送風機８０の上側に装着される熱交換機９０と、及び酸素発生器１００とを含む。
【００３２】
前面パネル７０は、空気吐出口６４が形成される上部パネル７２と、空気吸入口６２が形成される下部パネル７４とからなる。
そして、空気吐出口６４は、上部パネル７２の前面に形成される第１吐出口６４ａと、上部パネル７２の両側に形成される第２吐出口６４ｂとからなる。したがって、本発明による空気調和機は、第１、２吐出口６４ａ、６４ｂを介して３面に空気を吐き出す。
【００３３】
また、空気吸入口６２は、下部パネル７４の両側面に形成される。この際、空気吸入口６２の背面には、吸入される室内空気中に混ざっている異物質を濾し出すエアフィルタ８１が装着される。
【００３４】
一方、上部パネル７２には昇降しながら第１吐出口６４ａを開閉する第１パネル７２ａと、第１パネル７２ａの昇降にしたがって前後移動する第２パネル７２ｂとが装着される。
第１パネル７２ａは、空気調和機の動作が中断されると、第１吐出口６４ａを閉鎖して塵などの異物質がキャビネット６０の内部に流入することを防止し、第２パネル７２ｂは、第１パネル７２ａが位置していた所に移動して、前面パネル７０の全体的な外観を維持する。また、空気調和機が再び作動すると、第１パネル７２ａは下降して第１吐出口６４ａを開放させ、第２パネル７２ｂは再び元の位置に復帰する。
【００３５】
そして、送風機８０は、空気吸入口６２を介して室内空気をキャビネット６０の内部に吸入して熱交換機９０に案内し、熱交換機９０は、室内空気を熱交換させ、室内を冷房または暖房する。
【００３６】
ここで、送風機８０の両側には微塵やにおい粒子を除去する電気集塵機８２が装着され、熱交換機９０の下側には熱交換機９０の表面に生成される凝縮水を受けるドレインファン９１が形成される。ドレインファン９１には凝縮水を外部に排水するドレインホース９２が連結される。
【００３７】
一方、酸素発生器１００はキャビネット６０の内部に装着され、室内空気を吸入して酸素を発生させる。より詳細に説明すると、酸素発生器１００は送風機８０の下側に装着されて室内空気を吸入し、吸入された室内空気から窒素を分離して酸素を発生させた後、酸素を室内に供給する。
【００３８】
このような酸素発生器１００には、発生した酸素を室内に案内する酸素案内部１９０が連結される。酸素案内部１９０は、酸素発生器１００に連結され、酸素を空気吐出口６４に案内する案内ホース１１０と、案内ホース１１０に連結され、空気吐出口６４に固定されて酸素を室内に吐き出すノズル部１２０とを含む。
【００３９】
ここで、案内ホース１１０は、酸素発生器１００に連結される第１ホース１１２と、ノズル部１２０に連結される第２ホース１１４と、及び第１ホース１１２と、第２ホース１１４との間に装着される消音器１１６とからなる。消音器１１６は、第１ホース１１２、及び第２ホース１１４より内径が大きく形成される。そして、ノズル部１２０は、第１吐出口６４ａに装着されるホルダ１３０に囲まれ、第１吐出口６４ａの一方に固定される。このために、ホルダ１３０の中央部にはノズル部１２０が挿入され固定される挿入ホール１３０ａが形成され、両側の下端には第１吐出口６４ａに形成されたフックホール６４ｃに締結されるフック１３１が形成される。
【００４０】
勿論、フックホール６４ｃは第２吐出口６４ｂに形成され得るし、この場合、ノズル部１２０は、第２吐出口６４ｂの一方に固定される。
【００４１】
一方、酸素発生器１００には室内空気を吸入する空気吸入ホース１８０と、室内空気から分離された窒素を室外に排出させる窒素排出ホース１７０とがそれぞれ連結される。
空気吸入ホース１８０は、送風機８０によってキャビネット６０の内部に流入した室内空気を吸入したり、キャビネット６０の外部に延長されて直接室内空気を吸入できる。
【００４２】
そして、窒素排出ホース１７０は、室内空気から分離された窒素を外部に排出するために、ベース５０、キャビネット６０、前面パネル７０のうち何れかを貫通して室外に延長される。
【００４３】
一方、酸素発生器１００は、ベース５０の上面に装着されることが好ましい。このために、ベース５０の上面には突起５２が形成され、酸素発生器１００の下部には突起５２が挿入され固定される締結孔１００ａが形成される。この際、突起５２には酸素発生器１００を堅固に固定するためのスクリューホール５２ａが形成されることが好ましい。したがって、酸素発生器１００は、突起５２と締結孔１００ａとの結合、及びスクリューホール５２ａに締結されるスクリュー１００ｃによってベース５０の上面に堅固に固定される。突起５２、挿入孔１００ａ、及びスクリューホール５２ａは多数個が形成されることが好ましい。
【００４４】
以下、添付の図面を参照にして酸素発生器１００の内部構造、及び作動過程についてより詳細に説明する。
【００４５】
図３及び図４は本発明による酸素発生器が動作する形態を示す構成図で、図５は本発明による酸素発生器の内部構造を示す平面図である。
【００４６】
酸素発生器１００は、図３乃至図５に示すように、第１、２チャンバ１０２ａ、１０２ｂと、第１、２チャンバ１０２ａ、１０２ｂに連結される第１，２、３配管１０１、１０３、１０５とを含む。
【００４７】
第１、２チャンバ１０２ａ、１０２ｂの内部には室内空気から窒素を分離させる吸着剤が満たされる。吸着剤は、窒素が酸素や他の分子に比べて吸着されやすい特性を用いて、第１、２チャンバ１０２ａ、１０２ｂを通過する室内空気から窒素を分離させる。吸着剤としては通常ゼオライトが使用される。
【００４８】
そして、第１配管１０１は二つの管に分けられ、第１、２チャンバ１０２ａ、１０２ｂにそれぞれ連結され、吸入された室内空気を第１、２チャンバ１０２ａ、１０２ｂに案内する。ここで、第１配管１０１には流入した室内空気を浄化するフィルター１０７が装着される。
【００４９】
第２配管１０３は、第１、２チャンバ１０２ａ、１０２ｂからそれぞれ延長され合管となり、窒素と分離された酸素を排出する。また、第３配管１０５は、第１、第２チャンバ１０２ａ、１０２ｂからそれぞれ延長され合管となり、酸素と分離された窒素を外部に排出する。ここで、第２配管１０３には排出される酸素をポンピングする第１ポンプ１０４が装着され、第３配管１０５には排出される窒素をポンピングする第２ポンプ１０６が装着される。
【００５０】
一方、第１配管１０１は、上述した空気吸入ホース１８０に連結され、第２配管１０３は、酸素案内部１９０に連結される。また、第３配管１０５は、窒素排出ホース１７０に連結される。
【００５１】
未説明符号１０１ａ、１０１ｂは、第１配管１０１のそれぞれの分枝部に装着され、選択的に開閉される第１、２バルブであり、未説明符号１０５ａ、１０５ｂは、第３配管１０５のそれぞれの分枝部に装着され、選択的に開閉される第３、４バルブであり、未説明符号１０８ａ、１０８ｂは、第１、２チャンバ１０２ａ、１０２ｂ相互間の酸素逆流を防ぐ第１、２チェックバルブである。
【００５２】
以下、このように構成される酸素発生器の作動過程を説明する。
【００５３】
まず、図３に示すように、第１バルブ１０１ａ、及び第４バルブ１０５ｂは開放され、第２バルブ１０１ｂ、及び第３バルブ１０５ａは閉鎖される。
その後、第１ポンプ１０４が駆動すると、室内空気は第１配管１０１とフィルター１０７、及び第１バルブ１０１ａを通過して第１チャンバ１０２ａに吸入され、窒素が吸着される。そして、第１チャンバ１０２ａで窒素と分離された酸素は、第２配管１０３を介して酸素発生器１００の外部に排出される。この際、第１チャンバ１０２ａの酸素は第２チェックバルブ１０８ｂによって第２チャンバ１０２ｂに流入することが防止される。
【００５４】
また、第２ポンプ１０６が駆動すると、第２チャンバ１０２ｂに吸着された窒素は、第４バルブ１０５ｂと第３配管１０５を介して酸素発生器１００の外部に排出される。
【００５５】
一方、このような過程が一定時間進められる場合、第１チャンバ１０２ａの吸着剤は多量の窒素を吸着した状態となり、吸着性が落ち、第２チャンバ１０２ｂの吸着剤は吸着された窒素が外部に排出されることにより、再び窒素を吸着できる状態となる。したがって、一定時間が経過すると、図４に示すように、第２バルブ１０１ｂ、及び第３バルブ１０５ａは開放され、第１バルブ１０１ａ、及び第４バルブ１０５ｂは閉鎖される過程が進められる。
【００５６】
その後、第１ポンプ１０４が駆動すると、室内空気は第１配管１０１とフィルタ１０７、及び第２バルブ１０１ｂを通過して第２チャンバ１０２ｂに吸入され、窒素が吸着される。そして、第２チャンバ１０２で窒素と分離された酸素は、第２配管１０３を介して酸素発生器１００の外部に排出される。この際、第２チャンバ１０２ｂの酸素は、第１チェックバルブ１０８ａによって第１チャンバ１０２ａへの流入が防止される。
【００５７】
また、第２ポンプ１０６が駆動すると、第１チャンバ１０２ａに吸着された窒素は、第３バルブ１０５ａと、第３配管１０５を介して酸素発生器１００の外部に排出される。
結局、酸素発生器１００は、上記のような過程を繰り返しながら室内に供給する酸素を発生させる。
【００５８】
図６は本発明の第２実施形態による分離型空気調和機を示す分解斜視図である。
図６に示すように、本発明の第２実施形態による分離型空気調和機は、内部に送風機８０、及び熱交換機９０が装着されたキャビネット６０と、キャビネット６０の前面に装着され、上部に空気吐出口６４が形成され、かつ下部に空気流入口６２が形成される前面パネル７０と、キャビネット６０の内部に装着され、室内空気を吸入して酸素を発生させる酸素発生器１００、及び酸素発生器１００に着脱可能に連結され、所望の位置に直接酸素を供給する酸素供給部１４０を含む。
【００５９】
ここで、酸素供給部１４０は、酸素発生器１００に連結される供給ホース１４４と、供給ホース１４４に連結され、ユーザに直接酸素を供給し、ユーザの頭に着用するヘッド部１４８とを含む。
【００６０】
供給ホース１４４は、酸素供給部１４０の保管、及び使用が容易となるようにフレキシブルホースからなることが好ましい。また、供給ホース１４４は、一つのホースからなることも可能であり、酸素発生器１００に直列、または並列に連結された複数個のホースからなることも可能である。
【００６１】
ここで、多数個の供給ホース１４４が並列に酸素発生器１００に連結される場合には、多数のユーザに酸素を同時に供給できるように、ヘッド部１４８も複数個が形成される。そして、ヘッド部１４８にはユーザの呼吸器に直接酸素を供給する酸素吐出口１４６が形成される。この際、ヘッド部１４８は、ユーザの呼吸器の周辺に酸素吐出口１４６が位置するよう所定の長さに長く延長されることが好ましい。また、ヘッド部１４８は、ユーザが耳に掛けられる耳ハンガ部を含めてなるが、着用が容易なように弾性部材からなることが好ましい。
【００６２】
勿論、酸素発生器１００に酸素案内部１９０が連結される場合、酸素供給部１４０は、酸素案内部１９０に着脱可能に連結される。
【００６３】
より詳細に説明すると、酸素案内部１９０は、上述したように、案内ホース１１０と、ノズル部１２０とを含めてなり、酸素供給部１４０は、ノズル部１２０に連結される供給ホース１４４と、供給ホース１４４に連結され、ユーザの頭に着用するヘッド部１４８とを備える。この際、供給ホース１４４の一端にはノズル部１２０と結合する締結部１４２が形成される。また、供給ホース１４４には騒音防止のための消音器１５０が装着される。
【００６４】
図７は図６に示す酸素供給部の他の形態を示す斜視図である。
一方、酸素供給部１４０は、図７に示すように、酸素発生器１００に連結される供給ホース１４４と、供給ホース１４４に連結されるハンガ１４９とを含めてなることもある。ハンガ１４９は、壁面に取り付けられるように形成され、ユーザが酸素供給部１４０を所望の位置に固定できるようにする。勿論、供給ホース１４４には騒音防止のための消音器１５０が装着されることが好ましい。
また、ユーザは、携帯可能な酸素保管容器１６０を用いて酸素を貯蔵した後、必要時に使用することもできる。
【００６５】
図８は本発明による供給ホースに提供される消音器の断面図である。
図８に示すように、消音器１５０は、供給ホース１４４にそれぞれ連結され、相互に結合される第１消音器１５２と、第２消音器１５４とからなる。
【００６６】
第１消音器１５２は、供給ホース１４４に連結される第１ヘルムホルツ共鳴器１５２ａと、第１ヘルムホルツ共鳴器１５２ａの外面から延長される第１拡管部１５２ｂとからなり、第２消音器１５４は、供給ホース１４４に連結される第２ヘルムホルツ共鳴器１５４ａと、第２ヘルムホルツ共鳴器１５４ａの外面から延長される第２拡管部１５４ｂとからなる。
【００６７】
第１、２拡管部１５２ｂ、１５４ｂは相互に結合され、その内部に共鳴空間を形成する。このような第１、２拡管部１５２ｂ、１５４ｂの結合のために、第１拡管部１５２ｂの外面には雄ネジ山が形成され、第２拡管部１５４ｂの外面には雌ネジ山が形成される。
【００６８】
一方、消音器１５０の内部には芳香剤が提供されえる。芳香剤は、消音器１５０を経てヘッド部１４８、またはハンガ１４９に排出される酸素に香りが添加されるようにして、ユーザがより快適な気持ちを感じられるようにする。
【００６９】
以下、上記のように構成された本発明の作用を説明する。
【００７０】
まず、室外機（図示せず）に装着された圧縮機（図示せず）が作動すると、熱交換機９０に冷媒が提供される。そして、送風機８０が駆動すると、室内の空気は空気吸入口６２を介してキャビネット６０の内部に流入して、エアフィルタ８１と電気集塵機８２を通過しながら浄化される。その後、浄化された空気は、送風機８０と熱交換機９０を経て熱交換され、空気吐出口６４を介して室内に吐き出される。
【００７１】
一方、酸素発生器１００が駆動すると、室内空気は空気吸入ホース１８０を介して酸素発生器１００の内部に吸入され、窒素と酸素とが分離される。この際、窒素は、窒素案内ホース１７０を介して室外に排出され、酸素は、案内ホース１１０、及びノズル部１２０を介して室内に直接吐き出され、室内の快適さを向上させる。
【００７２】
図９は本発明による酸素供給部を用いてユーザが酸素を吸入する形態を示す斜視図である。
一方、図９に示すように、ユーザＰがノズル部１２０に酸素供給部１４０の締結部１４２を結合させ、頭Ｈにヘッド部１４８を着用すると、ノズル部１２０を通過する酸素は室内に直接吐き出されず、ホース部１４４とヘッド部１４８、及び酸素吐出口１４６を通過してユーザＰの呼吸器の周辺に吐き出される。したがって、ユーザは前面パネルに形成された空気吐出口６４から遠く離れているか、或いは移動する場合にも酸素を集中的に吸入することができる。
【００７３】
勿論、ユーザがハンガ１４９を備えた酸素供給部１４０を使用する場合、ユーザは所望の位置にハンガ１４９を装着して、一定の場所に持続的に酸素を供給できる。
【図面の簡単な説明】
【００７４】
【図１】従来技術による分離型空気調和機を示す斜視図。
【図２】本発明の第１実施形態による分離型空気調和機を示す分解斜視図。
【図３】本発明による酸素発生器が動作する形態を示す構成図。
【図４】本発明による酸素発生器が動作する形態を示す構成図。
【図５】本発明による酸素発生器の内部構造を示す平面図。
【図６】本発明の第２実施形態による分離型空気調和機を示す分解斜視図。
【図７】図６に示す酸素供給部の他の形態を示す斜視図。
【図８】本発明による供給ホースに提供される消音器の断面図。
【図９】本発明による酸素供給部を用いてユーザが酸素を吸入する形態を示す斜視図。
【符号の説明】
【００７５】
５０…ベース
５２…突起
５２ａ…スクリューホール
６０…キャビネット
６２…空気吸入口
６４…空気吐出口
７０…前面パネル
７２…上部パネル
７４…下部パネル
８０…送風機
９０…熱交換機
９１…ドレインファン
１００…酸素発生器
１００ａ…締結穴
１００ｃ…スクリュー  
１１０…案内ホース
１１２…第１ホース
１１４…第２ホース
１１６、１５０…消音器
１２０…ノズル部
１３０…ホルダ
１４０…酸素供給部
１４４…供給ホース
１４８…ヘッド部
１４９…ハンガ
１６０…酸素保管容器
１７０…窒素排出ホース
１８０…空気吸入ホース
【図１】
2005024238.tif 000003
【図２】
2005024238.tif 000004
【図３】
2005024238.tif 000005
【図４】
2005024238.tif 000006
【図５】
2005024238.tif 000007
【図６】
2005024238.tif 000008
【図７】
2005024238.tif 000009
【図８】
2005024238.tif 000010
【図９】
2005024238.tif 000011